(57)【要約】      （修正有）【課題】太陽や月などがもたらす２３日周期のリズムを明確に識別することのできるカレンダーを提供する。【解決手段】１月から１２月までの各日数が任意日数毎、月毎、又は複数月毎に一枚の用紙に表示されているカレンダーにおいて、２３日周期で識別手段が設けられていることを特徴とするカレンダーを提供すると共に、２３日間連続で同種の識別手段が設けられており、複数種の識別手段が２３日周期で繰り返されることを特徴とするカレンダーを提供する。【選択図】図２
0003113652.tif 000002
【実用新案登録請求の範囲】
【請求項１】
１月から１２月までの各日数が任意日数毎、月毎、又は複数月毎に一枚の用紙に表示されているカレンダーにおいて、２３日周期で識別手段が設けられていることを特徴とするカレンダー。
【請求項２】
１月から１２月までの各日数が任意日数毎、月毎、又は複数月毎に一枚の用紙に表示されているカレンダーにおいて、２３日間連続で同種の識別手段が設けられており、複数種の識別手段が２３日周期で繰り返されることを特徴とする請求項１に記載のカレンダー。
【請求項３】
前記識別手段が突起、印字、又は着色により表されることを特徴とする請求項１又は請求項２のいずれかに記載のカレンダー。
【請求項４】
前記識別手段が日付欄を着色することによりなされており、２３日毎に変化する同色の日付欄の配色パターンが黒色及び赤色でなることを特徴とする請求項３に記載のカレンダー。
【考案の詳細な説明】
【技術分野】
【０００１】
この考案はカレンダーに関する。
【背景技術】
【０００２】
人間にはそれぞれに２３日周期の身体リズム、２８日周期の感情リズム、３３日周期の知性リズムといったバイオリズムがあるといわれている。そのリズムを知り、それに合わせた生活をすると有用といわれている。
【０００３】
さらに、個人によって異なるバイオリズムとは違い、すべてに共通するリズムとして、変曲点及び極値点を含む日が金曜日の日没に始まり土曜日の日没に終わることを特徴とする２８日周期の波長が存在するとされ、考案者が考案した２８日周期のカレンダーがすでに特許文献１に開示されている。
【０００４】
本願の考案者は、天変地異や事故の発生日を長年にわたり統計し、２３日の周期でそれらの災害が生じていることを発見した。この２３日の周期は太陽や月などがもたらすリズムであると考案者は考えており、考案者はこの２３日の周期が地球の地殻変動をはじめ人間や動物などに影響を与えるという説を提唱している。そして人間が太陽や月などがもたらすリズムを受信し、それにあわせて自分のリズムを調節するが、その中枢が脳にあり、脳幹が２３日周期、大脳辺縁系が２８日、新皮質が３３日のリズムを刻んでいる、という説を提唱している。脳幹は自立神経系や内分泌系、免疫系を司るところであるから、２３日周期に従って生活すると、美容や健康に効果があることを発見した。
【０００５】
【特許文献１】登録実用新案公報第３１０２１８７号
【考案の開示】
【考案が解決しようとする課題】
【０００６】
特許文献１に示すカレンダ―は、変曲点及び極値点を含む日が金曜日の日没に始まり土曜日の日没に終わることを特徴とする２８日周期の波長のリズムをより明瞭に確認するために、金曜日を明示するよう、突起、印字、又は着色により表された識別手段が設けられており、同種の識別手段が金曜日から一週間連続して設けられ、その同種の識別手段が３週おきに現れるようにしてある。今回考案したカレンダーは、２３日周期で識別手段が設けられていることにより、太陽や月などがもたらす２３日周期のリズムを明確に識別することができる。
【課題を解決するための手段】
【０００７】
下記の手段により、上記課題を解決する。
【０００８】
（１）１月から１２月までの各日数が任意日数毎、月毎、又は複数月毎に一枚の用紙に表示されているカレンダーにおいて、２３日周期で識別手段が設けられていることを特徴とするカレンダーを提供する。
【０００９】
（２）１月から１２月までの各日数が任意日数毎、月毎、又は複数月毎に一枚の用紙に表示されているカレンダーにおいて、２３日間連続で同種の識別手段が設けられており、複数種の識別手段が２３日周期で繰り返されることを特徴とする請求項１に記載のカレンダーを提供する。
【００１０】
（３）前記識別手段が突起、印字、又は着色により表されることを特徴とする（１）又は（２）のいずれかに記載のカレンダーを提供する。
【００１１】
（４）前記識別手段が日付欄を着色することによりなされており、２３日毎に変化する同色の日付欄の配色パターンが黒色及び赤色でなることを特徴とする（３）に記載のカレンダーを提供する。
【考案の効果】
【００１２】
本考案のカレンダーを使うことにより、太陽や月などがもたらす２３日周期のリズムを明瞭に確認することができる。
【考案を実施するための最良の形態】
【００１３】
以下、本考案に係るカレンダーの実施の形態を図面に基づき説明する。
【００１４】
図１は太陽や月などがもたらす２３日周期の波長を示している。これは１日目から１１．５日にかけて下降する直線と、１１．５日から２３日にかけて上昇する直線とからなるものである。下降する直線にあたる時期を下降期、上昇する直線を上昇期とする。２３日周期の１日目を（１）、６〜７日目を（２）、１１．５日目を（３）、１８日目を（４）２３日目を（５）とし、２３日周期のリズムについての特徴を説明する。
【００１５】
下降期においては生理的に下り坂であり、底である（３）に近づくほど生理的に低調になり、体力が低下する時期なので、安静にしていることが好ましいとされる。上昇期においては生理的には活動期になり、（５）のピークに近づくほど体力が充実してくるので、活発に活動してよく、特に（５）前後の３日間は、何をするにも自然が後押ししてくれて、物事を成功に導いてくれる、というものである。
【００１６】
また、下降期の波が中間点をクロスするときに体調が一番狂いやすくなり、アクシデントに見舞われやすい。そこで（２）の６〜７日目、特に日中活動する７日目には、体調が急に悪化したり、集中力が切れて注意が散漫になったり、交通事故を起こしやすく、不意の事故に見舞われやすいため、「最注意日」である。
【００１７】
このように、下降と上昇、最注意日の３つの法則にしたがって、波がピークに近い日か、底に近い日かで、生理的な活動レベルがわかるので、当該時点のレベルに応じた行動指針が導かれる。
【００１８】
まず、１日目から５日目は好調期から低調期に向かう時期であるから、徐々に活動のペースを落とすのが好ましい。健康面において、血圧の高い人はピークとなる１日目に注意するならば、危険を避けられる。また、ハードトレーニングからストレッチ系のトレーニングを増やすのが良いとされる。この時期に風邪をひくと、体力が徐々に低下していくため、長引くおそれがあり、ちょっとした冷気に注意し、汗を冷やさないことにより、風邪を引かないようにすることが好ましい。美容面について言えば、偏食になりやすいのでバランスに注意し、ゆったりと食事をすることに心がける。後述するが、２０日目から２３日目には髪の毛や爪などが急激に伸びるので、この時期に美容院やネイルサロンに行くことが勧められている。また、対人関係について言えば、相手のミスに攻撃的になりやすいので、ワンテンポおいて相手の話に応じるなどの心配りが求められる。仕事についても計画を練り直し、よく検討することが必要である。書類の書き落とし、ケアレスミス等をするおそれがあるので注意が必要である。さらに電話の応対にも注意することが必要である。また、１日目は電車での足の踏み合いや痴漢に注意すると良い。
【００１９】
６日目から１１日目は慎み深い行動が求められる守備的な安静期である。体力が低下するので、病気や怪我をはじめ事故に注意する。特に、病気への抵抗力が最低になるので、手術は避けた方が好ましい。また、血行不良を防ぐ運動をすることが好ましいが減量効果は薄いので無理な運動をしないことが重要である。さらに体力が落ちる時期なので二日酔いになりやすく、宴会を避け、家でゆっくりと過ごす方が好ましい。そしてこの期間は食中毒に対する要注意期間であるので、特に６、７日目と１１日目にはお寿司や刺身、生牡蠣等の生ものを取るのを避ける。持病を持つ人には最も体調が悪くなる時期であるため、注意が必要である。７日目や１１日目にはギックリ腰や肉離れがおきやすいので、激しい運動による弊害に注意する。美容面についていえば、水分や脂肪をためやすく、不摂生が現れる時期であるので、減量するには不向きであり、減量を目的とするハードトレーニングにも向かない。便秘やニキビ、シミなどの肌のトラブルがおきやすいので、夕食は炭水化物をとらずにおくことが好ましい。半身浴で長めのバスタイムを取り、肌のコンディションを整えることが効果的である。対人関係について言えば、口論やトラブルに巻き込まれやすくなるので、笑顔をたやさず、努めて鷹揚な気持ちで過ごす。デスクワークや単純作業、短時間労働を行い、会議、出張は避けた方が好ましい。７日目や１１日目には電車での足の踏み合いや痴漢に注意すると良い。
【００２０】
特に７日目は大気が不安定になるとされており、乱気流が発生しやすい。そのため７日目には飛行機事故が多く起きていることが統計上明らかになっている。そこで、飛行機に乗るのを控えることが好ましい。さらに怪我や急性病など突発的な体調の変化が起こりやすいため、車の運転や重機の運転、人命にかかわるコントロール系の仕事には注意を払い、長距離ドライブや夜間に急に舞い込んだ危険な現場での仕事等は極力避けることが好ましい。
【００２１】
１２日目から１７日目は底を抜けて好調期に向かう準備期である。徐々にペースアップしていくことが好ましい。運動は軽い有酸素運動からハードトレーニングへ移行することができるが、体調が回復し元気になってくるので運動のしすぎに注意する。美容面について言えば、肌もハリとツヤが戻るため、肌にとっては良い時期である。しかし、普段のお手入れを怠らないようにすることが肌を美しく保つ秘訣である。さらに食欲が増すので食べすぎや飲みすぎに注意する。対人関係においては口が軽くなりやすいので、言葉遣いや接客に注意した方が好ましい。好調期に向かう準備期であるであるから、仕事においては新企画の立案や段取り、調整、手配に適した時期であり、やがてくる好調期に最大の効果を発揮できるように準備しておくことが好ましい。この時期は人の歩行速度が徐々に速くなるため、電車内で他人の足を踏んだり、あるいは自分の足が踏まれるトラブルが起こりやすいので注意する。また痴漢にも注意する。車の運転の際にはスピードの出しすぎにも注意する。
【００２２】
１８日目から２３日目は精神的に積極的になるため、活動的になる時期であり、その傾向に従って生活すると功を奏する時期でもある。１８日目と２３日目、特に２３日目は自信過剰によるスピードの出しすぎや暴走に気を付ける。健康面では、体力や気分、免疫力が最高になる時期であるので、積極的に汗を流すよう、筋肉トレーニングや有酸素運動、ハードトレーニングに有効である。日ごろの運動不足を解消すべく、通勤電車の一駅前で下車し、歩行することも良い。美容面について言えば、減量効果が大きくなる時期であるのでダイエットに最適である。肌の紫外線抵抗力が比較的高いので戸外のスポーツにも適しており、運動によるダイエットが好ましい。さらに肌の状態が良いので多少の夜更かしでも肌には影響を与えない。ただし、１８日目と２３日目には紫外線が強くなるので日焼け対策をすることを怠らないようにする。又、アルコール代謝が良い時期でもあり、社交的集まりには向いている時期であるために、宴会に向いている時期でもある。ただし、ハイテンションになりすぎて、他人の顰蹙をかわないように、さらには他人を傷つける言動をしないように注意する。全人類が好調期に入るわけであるから、人と積極的に交流することが良い結果を生み出すことが期待できる。そのため、仕事面ではプレゼンテーション、出張、残業、営業、外交を積極的に行なうことが向いている。人の歩行速度が最高に速くなるため、特に１８日目と２３日目には歩く際のトラブルに注意する。痴漢にも要注意である。２３日目は爪や髪が異常に伸びる日でもあるため、この日を過ぎて手入れをすることが好ましい。
【００２３】
この２３日の周期は脳幹のリズムであって、それが最も現れるのが女性の肌である。つまり２３日の周期は女性の肌が生まれ変わる周期であり、それぞれの期間の注意点にしたがって生活を成り立たせると、美容に効果的であるとされる。つまり、脳幹の食欲や代謝のコントロールに係わる、ホルモンその他の物質を受け取る働きである感受性やホルモン分泌には２３日の周期があるから、満腹信号をよく受け取って、エネルギー代謝を高める時期に運動することにより、脂肪の燃焼がより効果的になって、ダイエット等の美容に効果が高くなるのである。以下に肌に係わる２３日の周期について美容面に限定して説明する。
【００２４】
まず、１日目から５日目には肌の低調期であり、肌の調子がピークから下り坂に向かう時期である。冷気に注意することとともに、睡眠時間を最低７時間確保することが重要である。６日目から７日目、特に７日目は肌の最注意日であり、肌荒れやニキビ、吹き出物が出やすい時期である。そのため外出を控え、肌に刺激を与えないようにし、肌を清潔に保ち睡眠をたっぷりとることを心がける。６日目から１１日目は肌の最低調期であり、最も痛みやすい時期である。水分や脂肪を溜めやすいので、不摂生な生活がすぐに肌に現れるので、規則正しい生活を心がける。そして美白成分配合の化粧品を使い、肌をいたわることに心がける。１２日目から１７日目は肌の回復時期にあたり肌にハリとツヤが戻ってくる。食欲が増すので食べすぎや飲みすぎに注意することが重要である。１８日目から２３日目は肌の好調期を迎え、肌が最も生き生きとする時期となる。紫外線への抵抗力が比較的高いので戸外のスポーツに適している。多少の不摂生な生活にも耐えうる肌状態である。ただし、紫外線が２３日目には強くなるので、紫外線対策をすることが求められる。尚、紫外線が強い日の順は２３日目から１日目、次に１１日目から１２日目、その次が７日目から８日目の特に７日目、次いで１８日目である。肌が弱い場合はその前後日にも注意を要する。これらの日には外出を控えたり、日焼け止めを塗る等の紫外線対策を行なうことが好ましい。
【実施例１】
【００２５】
図２は本考案に係るカレンダーの実施例を表しており、２００５年のカレンダーを表している。日付を囲むことによって識別手段６が付された日は７日目の最注意日を表している。識別手段７としてモノトーンで印字されている日と、識別手段８として黒色で表した日で区別することにより、２３日周期を明瞭に視認することができるようにした。尚、モノトーンで印字されている日７を例えば赤色で彩色することにより、黒色で表した日８と明瞭に区別される。識別手段７がそれぞれ２３日連続で設けられ、その後識別手段８が２３日連続で設けられることによって、２３日の周期を明瞭に視認することができる。このように識別手段７、８が交互に付されることによって、同種の識別手段は１週おきに現れることとなる。そしてそれぞれの７日目には識別手段６が設けられることによって最注意日を明瞭に視認することができる。
【００２６】
このカレンダーを用い、例えば２００５年６月の要注意日を確認するためには、識別手段６が付されている箇所を見ればよいので、６月１３日であることが一目瞭然にして確認できる。加えて２３日周期の第１日目が６月７日から始まることを確認することができる。こうして現在が第何日目であるのかを把握することができ、それに対応した行動を計画できる。
【実施例２】
【００２７】
図３及び４は本考案に係るカレンダーの実施例を表しており、（Ａ）は２００６年、（Ｂ）は２００７年、（Ｃ）は２００８年、（Ｄ）は２００９年のカレンダーを表している。日付を囲むことによって識別手段６が付された日は７日目の最注意日を表している。識別手段９として薄墨が施している日と、識別手段１０として無色で表した日で区別することにより、２３日周期を明瞭に視認することができるようにした。尚、薄墨で示した部分９を例えば赤色で彩色することにより、無色で表した日１０が黒色の日付の印字のみで表されるから、黒色と赤色のツートンカラーでカレンダーを構成することができ、視覚的に美感を生じるようにデザインすることができる。識別手段９がそれぞれ２３日連続で設けられ、その後識別手段１０が２３日連続で設けられることによって、２３日の周期を明瞭に視認することができる。このように識別手段９、１０が交互に付されることによって、同種の識別手段は１週おきに現れることとなる。そしてそれぞれの７日目には識別手段６が設けられることによって最注意日を明瞭に視認することができる。
【００２８】
図２乃至４から明らかなように、識別手段６が２３日周期で規則的に現れるとともに、カレンダー上には識別手段７、８あるいは９、１０が２３日連続で各々付されることによって、太陽や月などがもたらす２３日周期のリズムが明瞭に記載されているので、現在が２３日周期のどの日に該当するのかを識別することができる。これにより、その時期にすることが望ましいとされている行動をすることによって、有用な影響を及ぼす。尚、上述したように２３日間が４つの時期に分けられており、取ることが好ましいとされている行動も異なるので、カレンダーにはその時期を明瞭に視認することができるよう、例えば当該４つの時期にそれぞれ着色や印字などの識別手段を設けて区別できるようにカレンダーを構成できる。
【００２９】
識別手段を着色によって表す場合、日付欄の着色は黒、赤黄に限らず、その他の色彩で着色してもよい。又、着色以外の識別手段を利用することもでき、例えば突起を設けてもよいし、印字等によりマークを付してもよい。
【図面の簡単な説明】
【００３０】
【図１】２３日周期の波長
【図２】識別手段が２３日周期で設けられた２００５年のカレンダー
【図３】識別手段が２３日周期で設けられた２００６年及び２００７年のカレンダー
【図４】識別手段が２３日周期で設けられた２００８年及び２００９年のカレンダー
【符号の説明】
【００３１】
１  １日目
２  ７日目
３  １１．５日目
４  １８日目
５  ２３日目
６、７、８、９、１０  識別手段
【図１】
0003113652.tif 000003
【図２】
0003113652.tif 000004
【図３】
0003113652.tif 000005
【図４】
0003113652.tif 000006